(57)【要約】【課題】ＳＬＩＣは一般に半導体素子で構成されており、ＳＬＩＣ内部で高電圧信号を絶縁することは困難である。【解決手段】ＰＢＸ回線に対応した電話機と、前記電話機を制御する電話制御回路と、前記電話機の呼出信号を生成する生成回路とを有し、電話機と電話制御回路と、或いは前記電話機と前記生成回路とを接続するように接続を切り替える切替え回路と、電話機に呼出信号を供給して鳴動させる際、切替え回路によって電話機と生成回路とを接続し、生成回路で生成された呼出信号を電話機に供給する。【選択図】  図１
2016220041.tif 000002
【特許請求の範囲】
【請求項１】
ＰＢＸ回線に対応した電話機と、
前記電話機を制御する電話制御手段と、
前記電話機の呼出信号を生成する生成手段と、
前記電話機と前記電話制御手段と、或いは前記電話機と前記生成手段とを接続するように接続を切り替える第１の切替え手段と、
前記電話機に前記呼出信号を供給して鳴動させる際、前記第１の切替え手段によって前記電話機と前記生成手段とを接続し、前記生成手段で生成された呼出信号を前記電話機に供給するように制御する制御手段と、
を有することを特徴とする画像通信装置。
【請求項２】
前記生成手段と前記電話機との間に接続され、前記電話機のオフフックを検知するオフフック検知手段を、更に有することを特徴とする請求項１に記載の画像通信装置。
【請求項３】
前記電話制御手段に電源を供給する非常夜電源手段と、
前記生成手段に電源を供給する常夜電源手段と、を更に有し、
前記制御手段は、スリープモードのとき前記非常夜電源手段の電源出力をオフにし、前記第１の切替え手段により前記電話機と前記常夜電源手段から電源が供給されている前記生成手段とを接続し、前記オフフック検知手段により前記電話機のオフフックを検知することを特徴とする請求項２に記載の画像通信装置。
【請求項４】
前記電話制御手段に電源を供給する第１の非常夜電源手段と、
前記生成手段に電源を供給する常夜電源手段及び第２の非常夜電源手段と、
前記生成手段への電力供給を、前記常夜電源手段、或いは前記第２の非常夜電源手段のいずれかから行うかを切り替える第２の切替え手段と、を更に有し、
前記制御手段は、スリープモードのとき、前記第２の切替え手段により前記常夜電源手段から前記生成手段に電源を供給して、前記オフフック検知手段により前記電話機のオフフック検知を行い、
通常モードでは、前記第２の切替え手段により前記第２の非常夜電源手段から前記生成手段に電源を供給するように制御することを特徴とする請求項２に記載の画像通信装置。
【請求項５】
前記制御手段は、スリープモードのときに前記オフフック検知手段により前記電話機のオフフックを検知すると前記非常夜電源手段をオンにし、前記第１の切替え手段により前記電話機と前記電話制御手段とを接続することを特徴とする請求項３に記載の画像通信装置。
【請求項６】
前記制御手段は、スリープモードのときに前記オフフック検知手段により前記電話機のオフフックを検知すると前記第１の非常夜電源手段をオンにし、前記第１の切替え手段により前記電話機と前記電話制御手段とを接続することを特徴とする請求項４に記載の画像通信装置。
【請求項７】
ＰＢＸ回線に対応した電話機、前記電話機を制御する電話制御手段、及び前記電話機の呼出信号を生成する生成手段とを有する画像通信装置を制御する制御方法であって、
切替え手段が、前記電話機と前記電話制御手段と、或いは前記電話機と前記生成手段とを接続するように接続を切り替える切替え工程と、
制御手段が、前記電話機に前記呼出信号を供給して鳴動させる際、前記切替え工程で前記電話機と前記生成手段とを接続し、前記生成手段で生成された呼出信号を前記電話機に供給するように制御する制御工程と、
を有することを特徴とする画像通信装置の制御方法。
【請求項８】
コンピュータを、請求項１乃至６のいずれか１項に記載の画像通信装置の各手段として機能させるためのプログラム。
【発明の詳細な説明】
【技術分野】
【０００１】
本発明は、画像通信装置及びその制御方法とプログラムに関する。
【背景技術】
【０００２】
近年、ＩＰ（Internet Protocol）電話による音声通信やＩＴＵ−Ｔ勧告のＴ．３８によるＩＰ−ＦＡＸ通信による画像通信を行う次世代ネットワーク（ＮＧＮ：Next Generation Network）が普及している。ＮＧＮは、ネットワーク自体に帯域保証機能、セキュリティ機能を備え、電話サービス、映像通信サービス、データ通信サービス等を統合的に実現するＩＰネットワークである。また、これらＬＡＮ或いはＮＧＮ上の通信機器との間には仮想的なセッションが確立され、このセッションが成立している間にサービスを提供するＳＩＰ（Ｓｅｓｓｉｏｎ Ｉｎｉｔｉａｔｉｏｎ Ｐｒｏｔｏｃｏｌ）が普及し、利用されている。このＳＩＰによりセッションを確立した通信機器が、ＩＰやＶＯＩＰ（Ｖｏｉｃｅ  Ｏｖｅｒ  ＩＰ）等のプロトコルを用いて通話或いは画像通信を行い、又これらを同時に行う等の様々な形態のサービスが提供されている。
【０００３】
これら画像通信装置に関しては、様々な形態が提供されており、ＩＰ電話、或いはＰＢＸ（構内交換機）に対応した電話機を外付け電話機として接続可能な画像通信装置がある。ＰＢＸに対応した電話機を制御するには、電話機制御を行うためのＳＬＩＣが必要になる。このＳＬＩＣは、通話音声信号をＤ／Ａ変換及びＡ／Ｄ変換する機能や、電話機の着信ベルを鳴動させる呼出信号の生成を行う機能、電話機のオフフックを検知する機能などを備えている。このように、ＰＢＸに対応した電話機とＩＰネットワークの間にはこのように電話を制御するためのＳＬＩＣ（電話制御部）が使用される。
【０００４】
一般に、電話機の着信ベルを鳴動させる呼出信号は、百数十ボルトの交流信号のような高電圧信号であるため、ＳＬＩＣを動作させるために必要な通常な電源とは別に、ＤＣ／ＤＣにより昇圧した電圧を供給することで呼出信号を生成している。このように呼出信号は高電圧信号であるため、この呼出信号の生成機能を搭載する画像通信装置には、感電保護の観点から、高電圧信号から絶縁を考慮した設計が求められる。
【０００５】
特許文献１は、複数の電話機を接続した場合であっても、インピーダンスの影響を低減するとともに、装置の大型化を抑制するファクシミリ装置及びその制御方法を開示している。このファクシミリ装置は、通話を行うために複数の電話機がＰＢＸ（公衆回線網）と接続され、これら複数の電話機のそれぞれと擬似ＣＩ信号を出力する擬似ＣＩ回路との接続を排他的に切り替え、各電話機に対して順次、その擬似ＣＩ信号を出力している。この構成により、高電圧信号である呼出信号からの絶縁を考慮した設計となっている。
【先行技術文献】
【特許文献】
【０００６】
【特許文献１】特開２００９−２９０４８６号公報
【発明の概要】
【発明が解決しようとする課題】
【０００７】
ＩＰＦＡＸ機能を搭載した画像通信装置において、ＰＢＸ（公衆回線網）に接続して使用する電話機を外付け電話機として接続できる画像通信装置がある。このようなＰＢＸ用の電話機を接続するために電話機制御用の制御装置が必要となり、このため音声データの変換や呼出信号の生成等の機能を有するＳＬＩＣ（電話制御部）が使用される。このＳＬＩＣにより電話機を鳴動させる場合、呼出信号が高電圧信号のため、感電保護の観点から、呼出信号からの絶縁を考慮した設計が求められる。しかしながらＳＬＩＣは一般に半導体素子で構成されており、ＳＬＩＣ内部で高電圧信号を絶縁することは困難であった。またＳＬＩＣに接続された制御信号を高電圧信号を絶縁するためには、各制御信号線にトランス等の絶縁部品を追加する必要があり、このような回路を構成すると複雑で高価なものとなる。
【０００８】
本発明の目的は、上記従来技術の課題を解決することにある。
【０００９】
本発明の特徴は、電話機の電話制御を行うための電話制御手段を、高電圧信号である呼出信号から絶縁させる技術を提供することにある。
【課題を解決するための手段】
【００１０】
上記目的を達成するために本発明の一態様に係る画像通信装置は以下のような構成を備える。即ち、
ＰＢＸ回線に対応した電話機と、
前記電話機を制御する電話制御手段と、
前記電話機の呼出信号を生成する生成手段と、
前記電話機と前記電話制御手段と、或いは前記電話機と前記生成手段とを接続するように接続を切り替える第１の切替え手段と、
前記電話機に前記呼出信号を供給して鳴動させる際、前記第１の切替え手段によって前記電話機と前記生成手段とを接続し、前記生成手段で生成された呼出信号を前記電話機に供給するように制御する制御手段と、を有することを特徴とする。
【発明の効果】
【００１１】
本発明によれば、電話機の電話制御を行うための電話制御手段を、高電圧信号である呼出信号から絶縁させることができる。
【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施形態を示し、その記述と共に本発明の原理を説明するために用いられる。
【図１】本発明の実施形態１に係る画像通信装置の構成を説明するブロック図。
【図２】実施形態１に係る画像通信装置のコントローラの構成を説明するブロック図。
【図３】実施形態１に係る画像通信装置におけるＦＡＸ／ＴＥＬの切り替え処理を説明するフローチャート。
【図４】実施形態１に係る画像通信装置における電話制御を説明するフローチャート。
【図５】本発明の実施形態２に係る画像通信装置の構成を説明するブロック図。
【発明を実施するための形態】
【００１４】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１５】
本実施形態では、ＩＰＦＡＸ機能を搭載した画像通信装置における電話制御部の呼出し制御を説明する。特に電話制御用のＡＳＩＣ、ＳＬＩＣを用いた装置において、高電圧信号である呼出信号から、それらＡＳＩＣ，ＳＬＩＣを確実に絶縁する技術に関する。本実施形態では、電話機と、ＳＬＩＣ又は疑似ＣＩ信号生成のどちらか一方とを接続する切替え回路を設け、呼出信号を電話機に供給する際は、高電圧信号である呼出信号を生成する疑似ＣＩ生成部とＳＬＩＣとを切り離す。例えば切替え回路がリレーを含む場合は、そのリレーにより切り離された際の物理的なギャップによって、高電圧信号とＳＬＩＣとの絶縁が確保されることになる。
【００１６】
［実施形態１］
図１は、本発明の実施形態１に係る画像通信装置１０１の構成を説明するブロック図である。
【００１７】
コントローラ２は、画像通信装置１０１の全体の制御を行う制御部である。主な機能としては、データの送受信、画像の読取り、画像の印刷などの制御を含む。回線１１０は、イントラネット、又はインターネットなどのネットワークやＮＧＮ網に接続されている。ＳＬＩＣ（電話制御部）８は、ＰＢＸ回線に接続して使用可能な電話機（ＰＢＸに対応した電話機）をＩＰ回線に接続するために、電話機と回線１１０のインターフェースの役目をする。ＳＬＩＣ８の主な機能は、直流印加、オフフック検知、電話機１６を通じた送話・受話信号のＡ／Ｄ、Ｄ／Ａ変換を行うＣＯＤＥＣ機能を含み、更に、コントローラ２とのＳＰＩインターフェース、ＰＣＭインターフェースも備えている。このＳＬＩＣ８は、電話機１６の直流電流用の電圧を生成し、更に、その他の電話機制御のための複数の機能を搭載しているために、消費電力が大きい。コントローラ２とブリッジ回路５は、双方がＵＡＲＴを有し、データ線３はブリッジ回路５を介し、データ線６を通じてＳＬＩＣ８とデータをシリアル通信するのに使用される。またデータ線４も同様に、シリアルでデータ線７を通じてモデム９とシリアル通信するのに使用される。ブリッジ回路５は、コントローラ２のＵＡＲＴと、ＳＬＩＣ８やモデム９とのシリアルデータの送受信のタイミングを生成する調整回路として機能している。またモデム９はＦＡＸ用のＧ３モデムであって、ＶＯＩＰ＿Ｇ３通信時に使用される。
【００１８】
切替え回路１０は、コントローラ２からの切換え信号１９に従ってその接続を切り替える。切替え回路１０は、疑似ＣＩ生成部１２により発生される呼出信号を電話機１６に供給する場合、電話機１６と疑似ＣＩ生成部１２とを接続する。電話機１６を鳴動する際、切替え回路１０は、疑似ＣＩ生成部１２と電話機１６とを接続して、電話機１６に呼出信号を供給する。こうして呼出信号を電話機１６に供給している間、切替え回路１０により、ＳＬＩＣ８は疑似ＣＩ生成部１２と物理的に切り離されているため、高電圧信号の呼出信号から絶縁された状態となる。例えば、切替え回路１０がリレーで構成される場合は、リレーにより切り離された際の物理的なギャップによって絶縁が確保される。オフフック検知部１１は、切替え回路１０を介して電話機１６と接続されている状態で、電話機１６のオフフックを検知する。
【００１９】
疑似ＣＩ生成部１２の電源は、常夜電源１３より供給されており、電源が供給されている状態で発信信号を生成し、更に、トランスにより供給電圧と絶縁した状態で、発信信号を昇圧することにより、高電圧の交流信号である呼出信号を生成している。従って、トランスにより、呼出信号と常夜電源１３からの電源とは絶縁が確保されている。ここで、呼出信号では、交流信号に直流電圧が重畳されているが、この直流電圧も、疑似ＣＩ生成部１２により、常夜電源１３からの電源との絶縁が確保されている。
【００２０】
図２は、実施形態１に係る画像通信装置１０１のコントローラ２の構成を説明するブロック図である。
【００２１】
ＣＰＵ２０１は、ＲＯＭ２０２に格納されたプログラムに従ってＣＰＵ２０１に接続された各デバイスを制御すると共に、画像通信装置１０１全体の制御を行う。またＣＰＵ２０１は、ＴＣＰ／ＩＰのプロトコル処理も行ない、画像データのＴＣＰ／ＩＰフレームへの組み立ては、このＣＰＵ２０１の制御により行われる。またＣＰＵ２０１は、画像データの受信時、符号化されている画像データを復号する。ＲＡＭ２０３は、プログラム実行時のワークメモリとして使用されると共に、送受信する画像データのバッファリングにも使用される。スキャナ制御部２０５はスキャナ２０４を制御し、スキャナ２０４が原稿を読み取って得た画像データをバス２１８に出力する。圧縮処理部２０６は、スキャナ制御部２０５から受け取った画像データを圧縮してＨＤＤ２１７に格納したり、ＨＤＤ２１７に格納された圧縮画像データを復号して伸張する。
【００２２】
ＵＡＲＴ２０７はデータのパラレル／シリアル変換を行う回路で、ブリッジ回路５に接続される。本実施形態１では、ＣＯＤＥＣ２１０は、音声信号、又はみなし音声として送受信されるファクシミリ信号のためのＶｏＩＰ方式の符号化／復号化方式をサポートする。更にＣＯＤＥＣ２１０は、Ｔ．３８インターネットファクシミリ信号を送受信するために必要な符号化／復号化方式を少なくともサポートしている。操作部はキー操作部２１１と表示部２１２とを含む。操作部は、主にダイヤル番号で使用するテンキーと、スタート、ストップキー、ファクシミリ送受信の操作ボタンなど、及びタッチパネル機能を有する表示部２１２を有し、ユーザからの操作指示を受付ける。プリンタ制御部２１４は、電子写真方式、インクジェット方式など記録方式のプリンタエンジン２１５を制御し、受信した画像データや他のインターフェースから入力した画像データを印刷用ラスタデータに変換して印刷する。ＨＤＤ２１７はハードディスクドライブで、受信した画像データ、送信する画像データや印刷データなど、様々なデータの格納に使用される。ネットワークＩ／Ｆ制御部（ＬＡＮＣ）２１６はＬＡＮコントローラで、回線１１０を通じてデータの送受信を行なう。バス２１８には、ＣＰＵ２０１，ＲＯＭ２０２，ＲＡＭ２０３、スキャナ制御部２０５、圧縮処理部２０６、ＵＡＲＴ２０７，キー操作部２１１、表示部２１２等が接続され、ＣＰＵ２０１からの制御信号やデータ信号が伝送される。
【００２３】
次に、電話機１６の鳴動に関して、画像通信装置１０１の動作の一つである、ＦＡＸ／ＴＥＬ切り替え動作の例で説明する。
【００２４】
図３は、実施形態１に係る画像通信装置１０１におけるＦＡＸ／ＴＥＬの切り替え処理を説明するフローチャートである。この処理を実行するプログラムはＲＯＭ２０２に記憶されており、ＣＰＵ２０１がそのプログラムを読み出して実行することにより、このフローチャートで示す処理が達成される。
【００２５】
この処理は、画像通信装置１０１の着信信号が通話による音声信号か、又はみなし音声として受信されるファクシミリ信号かを、ＣＮＧ（Calling）信号の有無を検出することにより自動的に判別することを前提としている。
【００２６】
まずＳ３０１でＣＰＵ２０１は、着信信号があるか否かの着信検知を行っており、着信信号がある、即ち、発信側装置よりＳＩＰセッション確立要求（ＩＮＶＩＴＥ）を受信するとＳ３０２に進む。Ｓ３０２でＣＰＵ２０１は、ＳＩＰ機能による発信側装置とのＳＩＰセッションを確立して接続動作を開始する。このＳＩＰセッションの確立は、発信側装置がＳＩＰセッション確立要求（ＩＮＶＩＴＥ）を画像通信装置１０１へ送信し、画像通信装置１０１は、受信したＩＮＶＩＴＥに対して成功応答を発信側装置へ返信する。発信側装置は、成功応答を受信すると画像通信装置１０１へＡＣＫを送信するといった手順で実行される。ＳＩＰセッションで利用するメディアは、発信側装置と着信側装置とが互いに利用を希望するメディアと、メディアを受信するためのポート番号などを記述したＳＤＰを交換（ＳＤＰネゴシエーション）することにより決定される。ＳＤＰは、Ｓｅｓｓｉｏｎ  Ｄｅｓｃｒｉｐｔｉｏｎ  Ｐｒｏｔｏｃｏｌの略である。こうして、画像通信装置１０１と発信側装置との間で、両者が同意したオーディオのメディア情報でデータ通信を実現するＳＩＰセッションが確立する。尚、前述したオーディオ以外のメディア種別でセッションを確立することも可能である。これによって、画像通信装置１０１と発信側装置間に、両者が同意したイメージのメディア情報でデータ通信を実現するＳＩＰセッションが確立することもあり得る。
【００２７】
Ｓ３０２の次はＳ３０３に進みＣＰＵ２０１は、Ｓ３０２で確立したＳＩＰセッションがオーディオのメディア情報によるセッションかどうか判定する。ここでオーディオのメディア情報によるセッションであると判定するとＳ３０５に進むが、そうでないとき、例えばイメージのメディア種別でＳＩＰセッションが確立されるとＳ３０４に進み、Ｔ．３８のデジタルファクシミリ手順によるファクシミリ受信を行う。このとき画像通信装置１０１で受信したＴ．３８ファクシミリ信号は、ＣＰＵ２０１の制御の下で必要な復号処理及び伸張処理等が行われた後、印刷されて、この処理を終了する。
【００２８】
Ｓ３０３でオーディオのメディア種別と判定するとＳ３０５に進み、音声による通話が可能となり、又は、みなし音声として送受信されるＴ．３０ファクシミリ手順によるＶｏＩＰ方式のファクシミリ通信が可能となる。ここでＣＰＵ２０１は、受信信号を音声信号として通話接続し、自動受信を開始する。これは、受信信号が通話による音声信号か、又はみなし音声として受信されるファクシミリ信号かを、ＣＮＧ（Calling）信号の有無を検出することにより自動的に判別する自動受信動作である。次にＳ３０６に進みＣＰＵ２０１はＣＮＧ信号の検出処理を実行し、Ｓ３０７でＣＮＧ信号の有無を検出することにより、受信信号が通話による音声信号か、又はみなし音声として受信されるファクシミリ信号かを判別する。こうしてＳ３０７でＣＰＵ２０１はＣＮＧ信号を検出したと判定するとＳ３０８に進む。Ｓ３０８でＣＰＵ２１０は、ＶｏＩＰ方式のファクシミリ通信として、モデム９によりＴ．３０ファクシミリ手順によるファクシミリ受信のためのモデム処理を行う。そしてＳ３０９に進みＣＰＵ２０１は、Ｔ．３０のファクシミリ手順によるファクシミリ受信を行って、この処理を終了する。
【００２９】
一方、Ｓ３０７でＣＰＵ２０１は、受信信号にＣＮＧ信号が検出されないと判定するとＳ３１０に進み、切替え回路１０を切り替えることにより、電話機１６と疑似ＣＩ生成部１２とを接続し、呼出信号を電話機１６に供給して電話機１６を鳴動させる。そしてオフフック検知部１１が、電話機１６のオフフックを検知するとＳ３１１に進み、ＣＰＵ２０１は切替え回路１０の切り替えを制御して、ＳＬＩＣ８と電話機１６とを接続する。こうしてＳＬＩＣ８による電話制御により電話機１６による音声通話を行って、この処理を終了する。
【００３０】
尚、ここで、切替え回路１０は、電話機１６のオフフック検知を、ＳＬＩＣ８で行うか、オフフック検知部１１で行うかを、切り替える回路でもある。
【００３１】
非常夜電源１４は、通常動作時にのみ電力を供給する電源回路で、スリープモード時にはその電源出力はオフされる。一方、常夜電源１３は、常時電力を供給する電源回路で、スリープモード時も、予めきめられた箇所に電力を供給している。ＤＣ−ＤＣコンバータ１５は、ＳＬＩＣ８で生成する電話機１６の回線ラインに供給する直流の高電圧を生成している。
【００３２】
省エネモード（スリープモード）の動作は次のようになる。スリープモード時は、非常夜電源１４からＳＬＩＣ８に供給している電力はオフされる。このとき、切替え回路１０によって、電話機１６の接続をオフフック検知部１１に切り換える。更に、オフフック検知部１１には、常夜電源１３から疑似ＣＩ生成部１２に供給される電力により、疑似ＣＩ生成部１２で生成された直流電圧が供給されている。この直流電圧は、切替え回路１０を介して電話機１６の回線ラインに供給される。
【００３３】
このようにして、スリープモード時は、ＳＬＩＣ８への電力供給が遮断されるため、スリープモードでの、電話制御系の消費電力を少なくすることができる。但し、スリープモードにおける電話機能は、オフフック検知部１１による電話機１６におけるオフフックの検知のみであり、オフフックを検知するとＳＬＩＣ８を起動し、切替え回路１０によって電話機１６とＳＬＩＣ８とを接続して電話機能を働かせる。非常夜電源１４は、通常動作時に、スリープモードの時に電力が供給されない箇所へ電力を供給する。これらスリープモードの時に電力が供給されない箇所は、例えば、プリンタ制御部２０５、プリンタ２１４、スキャナ制御部２０５、スキャナ２０４、ＳＬＩＣ８等を含む。
【００３４】
一方、常夜電源１３は、スリープモード時に動作する箇所に電力を供給する。これら箇所は、例えば、ＣＰＵ２０１とのその周辺回路、ＲＯＭ２０２，ＲＡＭ２０３，ＬＡＮＣ２１６、操作部の一部や表示部２１２、切替え回路１０、オフフック検知部１１、疑似ＣＩ生成部１２などを含む。
【００３５】
図４は、実施形態１に係る画像通信装置１０１における電話制御を説明するフローチャートである。この処理を実行するプログラムはＲＯＭ２０２に記憶されており、ＣＰＵ２０１がそのプログラムを読み出して実行することにより、このフローチャートで示す処理が達成される。
【００３６】
ここで電話制御部とは、ＳＬＩＣ（電話制御）８や切替え回路１０、オフフック検知部１１、疑似ＣＩ生成部１２、電源系である常夜電源１３、非常夜電源１４などを含む。通常モードとは、スリープモードでなく、全ての回路に電源を供給して動作している状態であり、スリープモードとは、ここでは、常夜電源１３から電力を供給し、非常夜電源１４からの電力供給を停止している状態である。
【００３７】
まずＳ４０１でＣＰＵ２０１は、ＣＰＵ２０１は、電話機１６でオフフックされたかどうかを判定する。このオフフックの検知は、スリープモードであればオフフック検知部１１により行われ、通常モードではＳＬＩＣ８により行われる。オフフックを検知するとＳ４０２に進みＣＰＵ２０１は、画像通信装置１０１の消費電力モードがスリープモードかどうか判定する。この判定は、スリープモードを示すフラグがＲＡＭ２０３にセットされているかどうかにより判定する。ここでスリープモードでない、即ち、通常モードの場合はＳ４０５に進み、ＳＬＩＣ８を通じて、ダイヤル、通話を行う電話制御を実行する。
【００３８】
一方、Ｓ４０２でＣＰＵ２０１はスリープモードであると判定するとＳ４０３に進み、ＣＰＵ２０１は、スリープモードをオフにするために前述のフラグをオフにし、非常夜電源１４をオンにする。そしてＳ４０４に進みＣＰＵ２０１は、切替信号１９により、切替え回路１０が電話機１６とＳＬＩＣ８とを接続するように切り替える。そしてＳ４０５に進みＳＬＩＣ８が動作してダイヤル、通話が可能になる電話制御を実行する。次にＳ４０６に進みＣＰＵ２０１は、電話機１６の操作状況を監視し、ＳＬＩＣ８が電話機１６のオンフックを検知すると通話終了と判定してＳ４０１に進む。
【００３９】
一方、Ｓ４０１でＣＰＵ２０１はオフフックでないと判定するとＳ４０７に進み、回線１１０からの受信があるかどうか判定する。受信があればＳ４０８に進みＣＰＵ２０１は、電話機１６への受話かどうかを判定する。ここで電話機１６への受話でないときはＳ４２３に進んでデータの受信処理を実行する。尚、このデータの受信処理は、本実施形態の特徴でないため詳しい説明を省略して簡単に説明する。例えば印刷データ等のデータを受信するとスリープモードであれば、スリープモードを解除して通常モードに復帰する。そして受信した印刷データを解析してプリンタエンジン２１４に出力して印刷させる。また或いは、原稿の読み取り要求であればスキャナ２０４により原稿を読み取り、その読み取って得られた画像データを、要求元に送信する等の処理を実行する。こうしてＳ４２３のデータ受信処理を終了するとＳ４０１に進む。
【００４０】
Ｓ４０８で電話機１６への受話と判定するとＳ４０９に進みＣＰＵ２０１は、Ｓ４０２と同様に、画像通信装置１０１の消費電力モードがスリープモードかどうか判定する。ここでスリープモードと判定するとＳ４１０に進み、Ｓ４０３と同様に、スリープモードをオフにして非常夜電源１４をオンにしてＳ４１２に進む。一方、Ｓ４０９でスリープモードでないと判定するとＳ４１１に進みＣＰＵ２０１は、切替信号１９により切替え回路１０を制御して、電話機１６と疑似ＣＩ生成部１２とを接続させる。こうしてＳ４１２に進み疑似ＣＩ生成部１２は、生成した呼出信号を電話機１６に供給して電話機１６を鳴動させる。これにより、電話機１６を鳴動させるための高電圧からＳＬＩＣ８を分離させることができる。
【００４１】
次にＳ４１３に進みオフフック検知部１１が、電話機１６のオフフックを検知したかどうか判定し、オフフックを検知するとＳ４１４に進みＣＰＵ２０１は、切替信号１９により切替え回路１０を切り替えて電話機１６とＳＬＩＣ８とを接続する。こうしてＳＬＩＣ８が動作して電話制御を行うことにより、電話機１６と発信側の装置との通話が可能になる。そしてＳ４１５に進みＣＰＵ２０１は、Ｓ４０５と同様に電話制御を実行する。そしてＳ４１６に進みＣＰＵ２０１は、電話機１６の操作状況を監視し、電話機１６のオンフックをＳＬＩＣ８で検知すると通話終了と判定してＳ４０１に進む。
【００４２】
またＳ４１３で電話機１６のオフフックが検知されないときはＳ４１７に進み、一定時間が経過したかどうかを判定し、一定時間が経過していないときはＳ４１３に進み、一定時間が経過するとＳ４１８に進む。Ｓ４１８でＣＰＵ２０１は、電話機１６を鳴動させても誰も電話に出なかったため、疑似ＣＩ生成部１２からの呼出信号の出力を停止する。そして、切替信号１９により切替え回路１０をＳＬＩＣ８側へ切り替え、電話機１６とＳＬＩＣ８とを接続して受話の動作を中止してＳ４０１に進む。
【００４３】
Ｓ４０７でデータの受信がないときはＳ４１９に進みＣＰＵ２０１は、Ｓ４０２と同様に、画像通信装置１０１の消費電力モードがスリープモードかどうか判定する。ここでスリープモードと判定するとＳ４０１に進むが、スリープモードでないと判定するとＳ４２０に進む。Ｓ４２０でＣＰＵ２０１は、画像通信装置１０１がスリープモードに移行する条件が整ったかどうか判定する。この条件は、例えば所定時間の間、データの受信やユーザによるコピーなどの操作がない場合を指す。Ｓ４２０でスリープモードに移行する条件が整ったと判定するとＳ４２１に進みＣＰＵ２０１は、切替信号１９により切替え回路１０を制御し、電話機１６と疑似ＣＩ生成部１２とを接続するように切り替える。またＲＡＭ２０３のスリープモードをフラグをオンにセットする。次にＳ４２２に進みＣＰＵ２０１は、ＳＬＩＣ８に電力を供給している非常夜電源１４の電源出力をオフにしてＳ４０１に進む。こうしてスリープモードになると、電話機１６とＳＬＩＣ８との接続が遮断され、かつ非常夜電源１４の電源出力がオフになってＳＬＩＣ８への電力供給がなくなるため、消費電力を少なく抑えることができる。
【００４４】
以上説明したように実施形態１によれば、着信があって電話機を鳴動させる場合、電話機の呼出信号をＳＬＩＣからでなく疑似ＣＩ生成部から発生させることにより、電話機を鳴動させる際にＳＬＩＣを高電圧信号から絶縁させることができる。
【００４５】
また実施形態１では、スリープモードのときにＳＬＩＣへの電力供給を遮断し、より消費電力の少ないオフフック検知回路により電話機のオフフックを検知することにより、消費電力を、より少なく抑えながら電話機を使用した電話制御を行うことができる。
【００４６】
［実施形態２］
図５は、本発明の実施形態２に係る画像通信装置１０１の構成を説明するブロック図である。前述の実施形態１に係る図１の構成と共通する部分は同じ記号で示し、それらの説明を省略する。
【００４７】
この画像通信装置１０１は、前述の実施形態１に係る画像通信装置に対して、非常夜電源１７及び切替回路１８を追加している。そして、切替回路１８が、疑似ＣＩ生成部１２への電源を常夜電源１３或いは非常夜電源１７の何れかから供給するように切り替える点が前述の実施形態１の構成とは異なっている。具体的には、通常モードでは、非常夜電源１７からの電力を疑似ＣＩ生成部１２へ供給し、スリープモードでは、常夜電源１３からの電力を疑似ＣＩ生成部１２へ供給するように、切替回路１８が電源の供給元を切り替える。尚、この切替回路１８における切り替えは、コントローラ２からの切替信号２０により制御される。
常夜電源１３は、スリープモードのときに、通電の必要がある箇所にのみ電力を供給しており、電源効率の高い電源である。このような構成により、画像通信装置１０１がスリープモードのときの消費電力を更に減少させることができる。
【００４８】
一方、非常夜電源１７は、切替回路１８を介して、呼出信号を生成するための電力を疑似ＣＩ生成部１２に供給しており、多くの電力を供給する必要があるため、電源の供給能力の高い電源が採用される。
【００４９】
尚、本実施形態２に係る画像通信装置１０１の制御処理は、前述の実施形態１の図３及び図４を参照して説明した内容と同じであるため、その説明を省略する。
【００５０】
従って実施形態２に置いても、前述の実施形態１と同様に、着信があって電話機を鳴動させる場合、電話機の呼出信号をＳＬＩＣからでなく疑似ＣＩ生成部から流すことにより、電話機を鳴動させる場合に、ＳＬＩＣを高電圧信号から絶縁させることができる。
【００５１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５２】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【００５３】
２…コントローラ、５…ブリッジ回路、８…ＳＬＩＣ（電話制御部）、１０…切替え回路、１１…オフフック検知部、１２…疑似ＣＩ生成部、１３…常夜電源、１６…電話機
【図１】
2016220041.tif 000003
【図２】
2016220041.tif 000004
【図３】
2016220041.tif 000005
【図４】
2016220041.tif 000006
【図５】
2016220041.tif 000007